(57)【要約】【課題】 擦弦楽器において、安全に取り付け取り外しを行うことができるサイレンサを得る。【解決手段】 擦弦楽器のブリッジの裏面、表面を圧接する部材を利用して従来のサイレンサより更に重量のある別の錘を確実に取り付けることにより、大きな消音効果を得ると共に安心した操作を保証する。ブリッジサイレンサとして動作する錘をサイレンサとともに一体化させる構成を採ることも可能である。共鳴胴を有しない擬似弦楽器と異なり通常の楽器に取り付けて使用するため、楽器から外すことによりその楽器は通常に使用することが出来、他人とあるいは人前で演奏するために他の楽器を使用する必要がなく、経済的負担の増大はない。【選択図】  図３
2006285078.tif 000002
【特許請求の範囲】
【請求項１】
擦弦楽器のブリッジに取り付けて楽器の音量を減少させるブリッジサイレンサであって：
該ブリッジサイレンサは大きな重量を有する本体、前記本体と協働してブリッジを挟圧して前記本体を前記ブリッジに固定する挟圧板、ボルト及びナットから成り；
前記本体には前記本体を前記ブリッジに取り付けたときに弦に接触しないように形成された少なくとも一つの凹部が形成され；
前記本体には前記ボルトが遊嵌される径の貫通孔が形成され；
前記挟圧板には前記ボルトが遊嵌される径の貫通孔が形成された；
ブリッジサイレンサ。
【請求項２】
前記本体の重量を増大させた；
請求項１のブリッジサイレンサ。
【請求項３】
前記ナットの重量を増大させた；
請求項１のブリッジサイレンサ。
【請求項４】
前記本体の上部両端にピン受け部が形成され；
前記挟圧板の上部両端にピン受け部が形成され；
前記本体に形成されたピン受け部と前記挟圧板に形成されたピン受け部にピンが挿通されてヒンジが構成された；
請求項１のブリッジサイレンサ。
【請求項５】
前記本体と前記挟圧板の間にスプリングが介在している；
請求項１のブリッジサイレンサ。
【請求項６】
擦弦楽器のブリッジに取り付けて楽器の音量を減少させるブリッジサイレンサであって：
該ブリッジサイレンサは大きな重量を有する本体、前記本体と協働してブリッジを挟圧して前記本体を前記ブリッジに固定する挟圧板、ボルト及びナットから成り；
前記本体には前記本体を前記ブリッジに取り付けたときに弦に接触しないように形成された少なくとも一つの凹部が形成され；
前記本体の前記ブリッジと接する面に前記ボルトが植設され；
前記挟圧板には前記ボルトが遊嵌される径の貫通孔が形成された；
ブリッジサイレンサ。
【請求項７】
前記本体の重量を増大させた；
請求項６のブリッジサイレンサ。
【請求項８】
前記ナットの重量を増大させた；
請求項６のブリッジサイレンサ。
【請求項９】
前記本体の上部両端にピン受け部が形成され；
前記挟圧板の上部両端にピン受け部が形成され；
前記本体に形成されたピン受け部と前記挟圧板に形成されたピン受け部にピンが挿通されてヒンジが構成された；
請求項６のブリッジサイレンサ。
【請求項１０】
前記本体と前記挟圧板の間にスプリングが介在している；
請求項６のブリッジサイレンサ。
【請求項１１】
擦弦楽器のブリッジに取り付けて楽器の音量を減少させるブリッジサイレンサであって；
該ブリッジサイレンサは大きな重量を有する本体、前記本体と協働してブリッジを挟圧して前記本体を前記ブリッジに固定する挟圧板から成り；
前記本体の上部には把持部材及び前記ブリッジに取り付けたときに弦に接触しないように形成された少なくとも一つの凹部さらに上部両端にピン受け部が形成され；
前記挟圧板の上部両端にピン受け部が形成され；
前記本体に形成されたピン受け部と前記挟圧板に形成されたピン受け部にピンが挿通されてヒンジが構成され；
前記挟圧板間に付勢するスプリングを設けた；
ブリッジサイレンサ。
【請求項１２】
擦弦楽器のブリッジに取り付けて楽器の音量を減少させるブリッジサイレンサであって；
該ブリッジサイレンサは大きな重量を有する本体、前記本体と協働してブリッジを挟圧して前記本体を前記ブリッジに固定する挟圧板及び前記挟圧板を前記本体に取り付けるボルトから成り；
前記本体には前記本体を前記ブリッジに取り付けたときに弦に接触しないように形成された少なくとも一つの凹部が形成され；
前記本体の上部には前記ボルトが螺入されるナット部が形成され；
前記挟圧板はＬ形状であり、上部に前記ボルトが遊嵌される遊嵌孔が形成された；
ブリッジサイレンサ。
【請求項１３】
前記本体と前記挟圧板の間にスプリングが介在している；
請求項１２のブリッジサイレンサ。
【請求項１４】
擦弦楽器のブリッジに取り付けて楽器の音量を減少させるブリッジサイレンサであって；
該ブリッジサイレンサは大きな重量を有する本体、前記本体と協働してブリッジを挟圧して前記本体を前記ブリッジに固定する挟圧板及び前記挟圧板を前記本体に取り付けるボルトから成り；
前記本体には前記本体を前記ブリッジに取り付けたときに弦に接触しないように形成された少なくとも一つの凹部が形成され；
前記本体の上面には前記ボルトが植設され；
前記挟圧板はＬ形状であり、上部に前記ボルトが遊嵌される遊嵌孔が形成された；
ブリッジサイレンサ。
【請求項１５】
前記本体と前記挟圧板の間にスプリングが介在している；
請求項１４のブリッジサイレンサ。
【発明の詳細な説明】
【技術分野】
【０００１】
本出願の発明は弦楽器特に擦弦楽器のブリッジ（駒）に取り付けて使用するブリッジサイレンサ（消音器）に係るものである。
【背景技術】
【０００２】
余暇の充実、拡大により従来は聞くだけであった音楽を、自ら楽器を演奏することにより楽しむ愛好者が増加している。このような愛好者にとって楽器を演奏する場所及び時間には自ずと制限があり、自宅等で夜間にというのが一般的であるため、演奏するに当たり周囲との調和が必要である。
【０００３】
大きな音響を発生させない演奏を目的とし、共鳴胴を構成する大きな面積を有する響板を有しない擬似弦楽器がある。擬似弦楽器は共鳴胴を持たないため他人に聞かせることができるだけの音量を得ることはできない。
【０００４】
そのため、擬似楽器にマイクロホンあるいは圧電素子等のピックアップを取り付けてブリッジの振動を取り出し、アンプで電気的に増幅することが行われるが、このようにして得られる音は共鳴胴によって得られる音と全く異なっているので、合奏などに用いることはできない。
【０００５】
そのため、擬似楽器は練習用の補助的な目的にしか使用することができず、演奏者は、擬似楽器の他に共鳴胴を有する通常の楽器も所有せざるを得ず、経済的負担が大きい。そればかりでなく、移動先で大きな音を発生させる通常の演奏と大きな音を発生させない練習の両方を行おうとする場合には、通常の楽器と擬似楽器の両方を携行することになり、移動に不便である。
【０００６】
楽器の音を小さくするために使用される道具にミュート（ソルディーノ）がある。弦楽器のミュートは、弦の振動を共鳴胴に伝えるブリッジ（駒）に装着され、ブリッジの振動を抑制する。ミュートは黒檀あるいは紫檀等の堅木、構造材として金属線を有する軟質プラスティックあるいはゴム等で構成されており、重量は数グラムである。
【０００７】
ミュートの主要な効果は音質を変えることであるため、ミュート非使用時と使用時とでは音質が異なり、同一の音質で音を小さくすることはできない。
【０００８】
音質を変化させずに音を小さくすることが可能な道具としてサイレンサがある。従来のサイレンサの構造及びその使用方法を図１で説明する。
【０００９】
バイオリンやチェロなどの擦弦楽器のブリッジ７の頂上部の薄い部分８には、一端がテールピース９に止められ張力を印加された複数の弦１０が所定の間隔で載っている。弓で擦られて弦１０が振動すると、弦の振動がブリッジ７の頂上部の薄い部分８に振動を励起し、その振動はブリッジ７の２本のブリッジ脚１１，１２を経由して、共鳴胴を構成する大きな面積を有する響板に伝播し、大きな音響を発生させる。
【００１０】
サイレンサの構造は金属で構成され重量が１００グラム程度（バイオリンの場合５０グラム）と大きいこと以外は、全体構造及び使用方法は堅木製のミュートとほぼ同様である。サイレンサ１は本体２に２本の脚部３，４が形成された「コ」字形状をしており、脚部３，４にはブリッジ（ブリッジ）７の頂上部の薄い部分８を挟み込むための挟着部５，６が形成されている。
【００１１】
サイレンサ１は図２に示すように挟着部５，６にブリッジ７の薄い部分８が挟み込まれた状態で取り付けられているので、取り付け方が不完全な場合には、脱落し、最悪の場合は楽器を損傷してしまうことがある。このような事態を防止するために、サイレンサのブリッジに対する固定を確実に行おうとすると金属製のサイレンサの楔形状の挟着部５，６を大きな力で挿しこむと、木製（通常は楓材製）のブリッジに凹み傷をつけるおそれがある。
【００１２】
また、サイレンサはその重量によってブリッジの振動を抑制するため、消音効果を大きくするためには、サイレンサの重量を大きくすることになる。しかしながら、バイオリン用で５０グラム、チェロ用で１００グラムという重量はブリッジの薄い部分に取り付けるには限界に近く、これ以上重くするとブリッジを損傷するおそれがある。
【００１３】
本発明者等は、ブリッジに負担をかけることなく、サイレンサの効果をさらに増加させるためにより大きな重量を利用することができる構造のサイレンサを特開２００２−１８２６４０公報で提案した。このサイレンサは、従来のサイレンサに加えて別に協働する錘をブリッジの中央に形成されている貫通孔を利用することにより取り付ける構造を採ることにより、より大きな消音効果を発揮する。
【００１４】
特開２００２−１８２６４０公報に示されている擦弦楽器用消音器（ブリッジサイレンサ）を図２に示す。このブリッジサイレンサは中心に貫通ネジ穴４３を形成された円筒状の錘４１と、ボルト４４を植設された板状の台座４２とから成る。ここに示したブリッジサイレンサはチェロ用であり、錘４１は真鍮材で、台座４２は楓材で構成されている。また、台座４２の左右の上端部には協働して用いられるサイレンサ２の脚部を避けるために切り落とし部４６及び４７が形成されている。
【００１５】
このブリッジサイレンサは台座４２に植設されたボルト４４をブリッジ７の中央部に設けられた貫通孔４５に挿通し、ブリッジの反対側から錘４１の貫通ネジ穴にボルト４４を螺着することにより、ブリッジ７に固着される。
【００１６】
このようにしてブリッジ７に固着されたブリッジサイレンサに加えてブリッジ上端の薄肉部８に脚部３，４の挟着部６，７によって図１に示された従来のサイレンサ２が取り付けられ、このように取り付けられたサイレンサと協働してブリッジサイレンサが消音機能を発揮する。
【００１７】
しかしながら、これ等特開２００２−１８２６４０公報に示されたサイレンサのブリッジへの取り付け作業は弦の下方に錘部材を取り付けることにより行われるため、特にバイオリンのように弦の下の空間が狭い弦楽器では、取り付け、取り外しが難しい。
【００１８】
そればかりでなく、取り付け、取り外しの際に錘部材を楽器に当て、傷をつけてしまうおそれもある。
【００１９】
サイレンサ２のブリッジへの取り付け構造として、登録実用新案第３０１８８１５公報に、錘を複数の板ばねからなる爪部材で取り付ける構造が示されている。この取り付け構造は取り付け取り外し操作が難しいだけではなく、取り付け状態も不安定である。
【００２０】
【特許文献１】特開２００２−１８２６４０公報
【特許文献２】登録実用新案第３０１８８１５公報
【発明の開示】
【００２１】
本出願に係る発明は、従来のサイレンサでは楽器への取り付け・取り外しが容易ではなく、注意深く行わないと楽器を損傷するおそれがあったという問題を解決することを課題とする。
【００２２】
そのために、本出願に係るブリッジサイレンサは、ブリッジの上方からサイレンサを取り付けることが可能なように構成し、かつ簡単には外れることがないように構成した。
【００２３】
このようにすることにより、楽器へのブリッジサイレンサの取り付けが容易に行われ、強固に取り付けられるため、ブリッジサイレンサを楽器に衝突させて傷をつけてしまう事故を防止することができる。
【００２４】
また、従来と比して大きな重量の錘を使用することが可能となるため、従来のブリッジサイレンサによっては得ることができないさらに大きな消音効果を得られる。
【発明を実施するための最良の形態】
【００２５】
以下、図を参照しながら本発明の実施例を説明する。
【実施例１】
【００２６】
実施例１を図３に、取り付け構造を図４に示す。
このブリッジサイレンサは本体２、挟圧板１７、ボルト１４及びナット１９から構成されている。
【００２７】
本体２は、弦を避けるために２本の脚部が形成された「コ」字形状あるいは３本の脚部が形成された「ヨ」字形状をしており、本体２にはボルト１４を貫通する穴１５が形成されている。
【００２８】
挟圧板１７には、ボルト１４が貫通できる穴１６が開けられ、ブリッジ７を挟み付けるための延長部１８が形成されている。挟圧板１７と本体２の間隔は挟圧板１７の穴１６と本体２の穴１５を貫通したボルト１４の他端をナット１９で締め付けることにより、ブリッジ７に取り付ける。
【００２９】
脚部３，４をブリッジ７の裏面２０に沿う状態でブリッジサイレンサを弦１０−１、１０−２及び１０−３、１０−４の上側から挿入する。その時、ナット１９は緩めた状態で挟圧板１７の延長部材１８がブリッジ７の表面２１に沿う位置に挿入する。
【００３０】
この状態では、脚部３，４はそれぞれ弦１０−１、１０−２及び１０−３、１０−４の間に挿入され、また、延長部材１８は弦１０−２と１０−３の間に挿入される。
楽器が水平に置かれた状態では、この時に不用意にブリッジサイレンサを手から離してしまってもブリッジサイレンサは弦１０−１、１０−２及び１０−３、１０−４の上にあるため落下することはない。
【００３１】
本体２と挟圧板１７との間にブリッジ７を挿入した状態でナット１９を締め付けると、挟圧板１７と本体２の間隔が狭められブリッジサイレンサがブリッジ７に固定される。
【００３２】
通常、ブリッジ７の裏面２０は平坦な面で構成されており、表面２１はブリッジ脚１１、１２の方向に向かって徐々に厚くなる斜面となっている。
延長部１８は表面２１の斜面に沿った角度に配置され、ナット１９を締め付けるとブリッジサイレンサは大きな挟圧力でブリッジ７に固定される。
【００３３】
延長部１８がブリッジ７の表面２１に接触する部分は平坦であるため、大きな挟圧力でブリッジ７を締め付けても、その部分に傷をつけることはない。延長部１８がブリッジ７に接触する面に摩擦係数の大きなゴムや皮革などを貼っておくことにより、ブリッジサイレンサのブリッジ７への取付力は更に増強することは言うまでも無く、また、ブリッジに傷をつけてしまう懸念も減少する。
【００３４】
所定の重量を有するブリッジサイレンサが強力な挟圧力でブリッジ７に固定された状態では、演奏時に共振現象が発生してもブリッジサイレンサがブリッジ７から外れて脱落してしまうことはない。
【００３５】
このことを利用して、ブリッジサイレンサの重量をさらに大きくして消音効果を大きくすることが可能になる。
【００３６】
実施例１に適用した改良構成を、図５に示す。
その一つの手段は、ナット１９を大きな重量にすることである。例えば図５に示したナット２３を真鍮などの密度の大きな金属で作る。チェロ用の場合には、直径３０mm、長さ２０mm程度の大きさで重量は１００グラムとする。
【００３７】
ナット２３には、ボルト１４に係合するネジ穴が形成されている。
この場合、ブリッジサイレンサの総重量は本体２の１００グラムと重量ナット２３の１００グラムの合計２００グラムと大きくなり、ブリッジサイレンサの消音効果が大きくなる。重量ナット２３の外周には締め付けやすくするためのローレットを付けておけば、ブリッジサイレンサの取り付け、取り外しの操作性はさらに向上する。
【００３８】
重量ナット２３と本体２との間にゴム，皮革，プラスチックあるいはフェルト等からなる緩衝材を介在させれば、締め付けの不完全に起因する雑音の発生を防止することも出来る。
【００３９】
別の手段として、本体２の重量を１００グラムから２００グラムに大きくすることも可能である。
【００４０】
本体２と挟圧板１７との間にスプリング２４を介在させることにより、取り付け取り外し操作が容易になる。また、ナットを大きな重量ナットにした場合には重量ナットの本体に接しない側に化粧板２５を取り付ければ、外観が美麗になる。また、ナット１９あるいは重量ナット２３にボルトを螺入した状態で抜けないように止めリング２６を取り付けておけば、取り付け取り外し操作がさらに容易になる。
【実施例２】
【００４１】
図６により、実施例２を説明する。
このブリッジサイレンサは本体６０、挟圧板１７、ボルト６１及びナット１９から構成されている。
【００４２】
本体６０は、弦を避けるために２本の脚部が形成された「コ」字形状あるいは３本の脚部が形成された「ヨ」字形状をしており、ブリッジに接する面にボルト６１が植設されている。
【００４３】
挟圧板１７には、図３に示した実施例１と同様に、ボルト１４が遊嵌される穴が開けられ、ブリッジを挟み付けるための延長部が形成されている。挟圧板１７と本体６０の間隔は挟圧板１７の穴を貫通したボルト６１の他端をナット１９で締め付けることにより、ブリッジに取り付ける。
【００４４】
取り付け構造等他の態様は図４に示された実施例１と同様なので説明は省略する。
【００４５】
図７に第１実施例の変形例を示す。
ここに示した本体２の上側左右端にはピン受け部２７及び２８が形成され、挟圧板１７の上側左右端にはピン受け部２８及び２９に対応するピン受け部２９及び３０が形成され、ピン３１をピン受け部２７−２９−３０−２８の順で挿通することにより、ヒンジが構成されている。
【００４６】
このような構成を採用することにより、ナット１９を回転させた時に挟圧板１７が回転することがないだけではなく、ヒンジにより挟圧力が確実に働く。
図６に示したブリッジサイレンサにも図５に示された重量ナット２３，スプリング２４，化粧板２５及び止めリング２６を適用することが可能であることは言うまでもない。
【実施例３】
【００４７】
図８により、実施例３を説明する。
この実施例３のブリッジサイレンサは、図３から図６に示した第１の実施例のブリッジサイレンサと異なり、本体を貫通するボルトと、このボルトに螺着されるナットによる、取り付け構造を有しない。
【００４８】
本体５１は、弦を避けるために２本の脚部が形成された「コ」字形状あるいは３本の脚部が形成された「ヨ」字形状をしており、本体５１の上側左右端にはピン受け部５３及び５４が形成され、挟圧板５２の上側左右端にはピン受け部５３及び５４に対応するピン受け部５５及び５６が形成され、ピン５９をピン受け部５３−５５−５６−５４の順で挿通することにより、ヒンジが構成されている。
【００４９】
ヒンジを構成するピン受け部５５と５６の間には本体５１と挟圧板５２の間にブリッジを挟圧する力を発生させるためのコイルスプリング５０が取り付けられている。
【００５０】
このブリッジサイレンサを楽器に取り付ける際には本体５１の把持部５７と挟圧板５２の把持部５８を相互に引き寄せることにより隙間を作り、ブリッジを挟み込んだ後にスプリングにより把持部を相互に引き寄せる。
【実施例４】
【００５１】
図９により実施例４を説明する。
これまで説明した実施例のブリッジサイレンサは本体の側面にボルト−ナットあるいはヒンジ構造による取り付け部材を配置したものであったが、取り付け部材は本体の上部にも配置することが出来る。
【００５２】
図９（ａ）に示すように、本体２は、弦を避けるために２本の脚部が形成された「コ」字形状あるいは３本の脚部が形成された「ヨ」字形状をしており、本体２の上面にはネジ穴が開けられている。挟圧板３２はＬ字形に曲がった形状で、その一方の面に摘みボルト３３が貫通できる穴１６が開けられている。Ｌ字形に曲がったもう一方の面はブリッジ７を挟み付ける延長部材１８となっている。
【００５３】
このように構成されたブリッジサイレンサのブリッジ７への取り付け方法を図９（ｂ）で説明する。
脚部３，４をブリッジ７の裏面２０に沿う状態でブリッジサイレンサを弦１０の上方から挿入する。その時、摘みボルト３３は緩めた状態で挟圧板３２の延長部材１８がブリッジ７の表面２１に沿う位置に挿入する。この状態では、脚部３，４はそれぞれ弦１０−１、１０−２及び１０−３、１０−４の間に挿入され、また、延長部材１８は弦１０−２と１０−３の間に挿入されることになる。楽器が水平に置かれた状態では、この時に不用意に手を離してしまってもブリッジサイレンサは複数の弦１０の上にあるため落下することはない。
【００５４】
ブリッジサイレンサがブリッジ７へ挿入された状態で摘みボルト３３を締め付けることによって挟圧板３２と本体２の間隔が狭められブリッジサイレンサがブリッジ７に固定される。摘みボルト３３を締め付けると挟圧板３２の一方の端は本体２の上面に支点２２として載り、Ｌ字形に曲がったもう一方の端の延長部材１８がブリッジ７の表面２１を押圧する状態となる。延長部材１８は表面２１の斜面に沿った角度に配置されるので、摘みボルト３３を締め付けることによってブリッジサイレンサは強力な押圧力でブリッジ７に固定される。
【００５５】
この実施例の場合も延長部材１８がブリッジ７の表面２１に接触する部分は平坦であるため、強力な押圧力でブリッジ７を締め付けても、その部分に傷をつけてしまうことは無い。延長部材１８がブリッジ７に接触する面に摩擦係数の大きなゴムなどを貼っておくことにより、ブリッジサイレンサのブリッジ７への取付力は更に増強することは言うまでもなく、また、ブリッジに傷をつけてしまう懸念はさらに減少する。
【００５６】
本体２の重量を大きくすることによって、消音効果を大きくする事も可能になる。
また、摘みボルト３３の摘み部を大きな部材で構成してその重量をさらに増やすことによって、消音効果を大きくする事も可能になる。
【００５７】
図１０に、実施例４の変形例を示す。
この変形例においては本体２の上部のＬ形挟圧板との間にスプリング５１が摘みボルト３３の基部を介して配設され、Ｌ形挟圧板が本体から離れるように付勢している。
また、図に示した変形例と同様に、摘みボルトの下部に止めリング５２を取り付けることにより、取り付け取り外し操作が容易になる。
【実施例５】
【００５８】
図１１により、実施例５を説明する。
これまで説明した実施例のブリッジサイレンサは本体の側面にボルト−ナットあるいはヒンジ構造による取り付け部材を配置したものであったが、取り付け部材は本体の上部にも配置することが出来る。
【００５９】
図９（ａ）に示すように、本体２の上面にはネジ穴が開けられている。挟圧板３２はＬ字形に曲がった形状で、その一方の面に摘みボルト３３が貫通できる穴１６が開けられている。Ｌ字形に曲がったもう一方の面はブリッジ７を挟み付ける延長部材１８となっている。
【００６０】
図６により、実施例２を説明する。
このブリッジサイレンサは本体６２、挟圧板３２、ボルト６３及びナット６４から構成されている。
【００６１】
本体６２は、弦を避けるために２本の脚部が形成された「コ」字形状あるいは３本の脚部が形成された「ヨ」字形状をしており、上面にボルト６３が植設されている。
【００６２】
挟圧板３２はＬ字形に曲がった形状で、その一方の面にボルト６３が貫通できる穴が開けられている。Ｌ字形に曲がったもう一方の面はブリッジを挟み付ける延長部材となっている。
【００６３】
挟圧板３２と本体６２の間隔は挟圧板３２の穴を貫通したボルト６３の他端をナット６４で締め付けることにより、ブリッジに取り付ける。
【００６４】
取り付け構造等他の態様は図４に示された実施例１と同様なので説明は省略する。
【産業上の利用可能性】
【００６５】
以上、４つの実施例何れの場合も、ブリッジへのブリッジサイレンサの取り付け、取り外し操作はブリッジの上方から行うことが出来、ブリッジサイレンサをある程度挿入した時点では、脚部や延長部材などが複数の弦を跨いでいるため、その状態で不用意に手を離したとしても、ブリッジサイレンサが落下して楽器に傷をつけてしまうことがなく、安心して操作することが出来る。
【００６６】
さらに、ブリッジサイレンサの取付力はネジ部材を締め付けることによって得られ、また、ブリッジを押圧する部位は平坦であるため、共振現象が発生した場合にもブリッジサイレンサが外れない強力な取付力を維持出来、かつ、ブリッジに凹み傷を付けてしまうこともない。
【００６７】
以上説明したよう、本件出願に係る発明のよれば、取り付け取り外しが容易で消音効果の大きな擦弦楽器用消音器を提供することが出来る。
【図面の簡単な説明】
【００６８】
【図１】従来のサイレンサの説明図。
【図２】先行発明のブリッジサイレンサの説明図。
【図３】実施例１のブリッジサイレンサの説明図。
【図４】実施例１のブリッジサイレンサの取付説明図。
【図５】実施例１の改良実施例の説明図。
【図６】実施例１の他の改良実施例の説明図。
【図７】実施例２のブリッジサイレンサの説明図。
【図８】実施例３のブリッジサイレンサの説明図。
【図９】実施例４のブリッジサイレンサの説明図。
【図１０】実施例４の改良実施例の説明図。
【図１１】実施例５のブリッジサイレンサ付説明図。
【符号の説明】
【００６９】
１ サイレンサ
２，５１，６０，６２ 本体
３，４ 脚部
５，６ 挟着部
７ ブリッジ
８ 薄い部分
９ テールピース
１０ 弦
１１，１２ブリッジ脚
１４，４４，３３，６１，６３ ボルト
１５，１６ 穴
１７，３２ 挟圧板
１８ 延長部
１９ ナット
２２ 支点
２３ 重量ナット
２４，５０，５１ スプリング
２７，２８，２９，３０，５３，５４，５５，５６  ピン受け部
３１，５９  ピン
３３ 摘みボルト
５７，５８  把持部
【図１】
2006285078.tif 000003
【図２】
2006285078.tif 000004
【図３】
2006285078.tif 000005
【図４】
2006285078.tif 000006
【図５】
2006285078.tif 000007
【図６】
2006285078.tif 000008
【図７】
2006285078.tif 000009
【図８】
2006285078.tif 000010
【図９】
2006285078.tif 000011
【図１０】
2006285078.tif 000012
【図１１】
2006285078.tif 000013